(57)【要約】【課題】正面コントラストを低下させることなく液晶パネルを斜め方向から見たときに階調反転を抑制することができる液晶表示装置を提供する。【解決手段】液晶パネル１３が最小輝度となる液晶駆動電圧をＶｂｏとしたときに、黒色から中間調色の表示を行うときに、液晶駆動電圧ＶｂｏをＶｂｏ〜Ｖ２の範囲で印加し、中間調色から白色の表示を行うときに、液晶駆動電圧ＶｗをＶ１〜Ｖｂｏの範囲で印加するものである。【選択図】      図５
2007199127.tif 000002
【特許請求の範囲】
【請求項１】
アレイ基板及び対向基板によって液晶層を挟持した液晶パネルを有する液晶表示装置において、
前記液晶パネルが最小輝度となる液晶駆動電圧をＶｂｏとしたときに、液晶駆動電圧をＶ１からＶ２の範囲（但し、Ｖ１＜Ｖｂｏ＜Ｖ２である）で印加して映像を表示する
ことを特徴とする液晶表示装置。
【請求項２】
黒色から中間調色の表示を行うときには、前記液晶駆動電圧ＶｂをＶｂｏ＜Ｖｂ＜Ｖ２の範囲で印加とし、
中間調色から白色の表示を行うときには、前記液晶駆動電圧ＶｗをＶ１＜Ｖｗ＜Ｖｂｏの範囲で印加とする
ことを特徴とする請求項１記載の液晶表示装置。
【請求項３】
前記液晶層の液晶分子がＯＣＢ型である
ことを特徴とする請求項１記載の液晶表示装置。
【請求項４】
アレイ基板及び対向基板によって液晶層を挟持した液晶パネルを有する液晶表示装置の駆動方法において、
前記液晶パネルが最小輝度となる液晶駆動電圧をＶｂｏとしたときに、液晶駆動電圧をＶ１からＶ２の範囲（但し、Ｖ１＜Ｖｂｏ＜Ｖ２である）で印加して映像を表示する
ことを特徴とする液晶表示装置の駆動方法。
【請求項５】
黒色から中間調色の表示を行うときには、前記液晶駆動電圧ＶｂをＶｂｏ＜Ｖｂ＜Ｖ２の範囲で印加とし、
中間調色から白色の表示を行うときには、前記液晶駆動電圧ＶｗをＶ１＜Ｖｗ＜Ｖｂｏの範囲で印加とする
ことを特徴とする請求項４記載の液晶表示装置の駆動方法。
【請求項６】
前記液晶層の液晶分子がＯＣＢ型である
ことを特徴とする請求項４記載の液晶表示装置の駆動方法。
【発明の詳細な説明】
【技術分野】
【０００１】
本発明は、液晶表示装置に関し、特にＯＣＢ型の液晶表示装置に関するものである。
【背景技術】
【０００２】
最近の液晶表示装置においては、ＴＮ型（ツイスティッドネマチック）型に加えて、ＯＣＢ（Ｏｐｔｉｃａｌｌｙ  Ｃｏｍｐｅｎｓａｔｅｄ  Bｅｎｄ）型が提案されている（例えば、特許文献１、特許文献２参照）。
【０００３】
このＯＣＢ型液晶表示装置は、映像を表示させるためには、ＯＣＢ液晶層の配向状態を、図６に示すようにスプレイ配向状態からベンド配向状態へ転移させて維持する必要がある。そのため、黒挿入と呼ばれる高電圧印加を各フレーム内において一定比率で行い、スプレイ配向状態への逆転移を防止している。この際、黒挿入に用いる電圧は一般に黒レベル表示電圧と同一とし、黒の表示特性が最適となるように設定している。
【特許文献１】特開２００１−２８１７０７号公報
【特許文献２】特開２００５−２３４３７６号公報
【発明の開示】
【発明が解決しようとする課題】
【０００４】
上記のようなＯＣＢ型液晶表示装置においては、明るさは視野角に依存する。ノーマリーホワイト型における電圧と明るさの特性を図７に示す。図中における縦軸は白表示の明るさで規格している。図７に示すように液晶パネルを正面から見た場合には階調反転は生じないが、液晶パネルを斜め方向から見た場合には階調反転が生じてしまう場合がある。階調反転が生じると映像の見栄えが急激に悪くなってしまうため、この階調反転を抑制する必要がある。
【０００５】
階調反転の特性を改善する方法としては、黒表示電圧ＶＢＫを少し低い電圧Ｖ´ＢＫとすることが考えられるが、この場合には正面のコントラストの低下を伴う。例えば、正面コントラスト約５００：１を階調反転を、前記のような抑制するために約４００：１あるいはそれ以下にする必要がなる。
【０００６】
このように階調反転を抑制するためには、正面コントラストを大幅に低下させなければならず、液晶表示装置の視認性を著しく悪化させてしまうという問題点がある。
【０００７】
そこで、本発明は、正面コントラストを低下させることなく液晶パネルを斜め方向から見たときに階調反転を抑制することができる液晶表示装置及びその駆動方法を提供することを目的とする。
【課題を解決するための手段】
【０００８】
請求項１に係る発明は、アレイ基板及び対向基板によって液晶層を挟持した液晶パネルを有する液晶表示装置において、前記液晶パネルが最小輝度となる液晶駆動電圧をＶｂｏとしたときに、液晶駆動電圧をＶ１からＶ２の範囲（但し、Ｖ１＜Ｖｂｏ＜Ｖ２である）で印加して映像を表示することを特徴とする液晶表示装置である。
【０００９】
請求項４に係る発明は、アレイ基板及び対向基板によって液晶層を挟持した液晶パネルを有する液晶表示装置の駆動方法において、前記液晶パネルが最小輝度となる液晶駆動電圧をＶｂｏとしたときに、液晶駆動電圧をＶ１からＶ２の範囲（但し、Ｖ１＜Ｖｂｏ＜Ｖ２である）で印加して映像を表示することを特徴とする液晶表示装置の駆動方法である。
【発明の効果】
【００１０】
本発明によれば、正面コントラストを低下させることなく液晶パネルを斜め方向から見たときに階調反転を抑制することができる。
【発明を実施するための最良の形態】
【００１１】
以下、本発明の一実施形態の液晶表示装置１０について図１〜図５に基づいて説明する。
【００１２】
本実施形態の液晶表示装置１０は、ＯＣＢ型であって、ノーマリーホワイト型の液晶表示装置である。
【００１３】
液晶表示装置１０の構造について図１に基づいて説明する。
【００１４】
液晶表示装置１０は、アレイ基板１２と対向基板１１との間に液晶層１７を挟持した液晶パネル１３と、その外側にある位相差板１５、偏光板１６からなる。この液晶表示装置１０のアレイ基板１２と対向基板１１とは平行にラビング処理が施され約１０度のプレチルト角を有しており、液晶層１７の液晶分子はＯＣＢ型である。アレイ基板１２と対向基板１１の外周部分はシール材１４によって封止されている。
【００１５】
位相差板１５としては、例えばハイブリッド配向したディスコティック液晶を有する位相差板を用いた。ＯＣＢ型の液晶表示装置１０では、位相差板１５を用いて黒表示状態での光学補償を行っており、液晶パネル１３の輝度が最小となる液晶駆動電圧Ｖｂｏは位相差板１５の正面リタデーションで決まり、その値としては例えば約３０ｎｍである。
【００１６】
液晶パネル１３についてさらに詳しく図２と図３に基づいて説明する。
【００１７】
図２において、液晶パネル１３には、それぞれ信号線駆動回路３８と走査線駆動回路４０が接続されている。即ち、信号線駆動回路３８には信号線２８がそれぞれ接続され、走査線駆動回路４０には走査線３０と補助容量線３６がそれぞれ接続されている。
【００１８】
また、液晶表示装置１０は、コントローラ４２を有している。このコントローラ４２は、外部から入力した映像信号及び同期信号に基づいて、信号線駆動回路３８に水平同期信号とデジタル映像信号、水平スタート信号等を供給し、走査線駆動回路４０には垂直同期信号、垂直スタート信号等を供給している。コントローラ４２には対向電圧発生回路４４が接続され、この対向電圧発生回路４４が対向基板１１に対向電圧を供給している。
【００１９】
液晶パネル１３のアレイ基板１２上には、図３に示すように図中縦方向に信号線２８が配線され、この信号線２８と直交するように走査線３０が配線されている。信号線２８と走査線３０の交差部近傍にはポリシリコン型の薄膜トランジスタ（ＴＦＴ）３２が設けられ、ＴＦＴ３２のソース電極に信号線２８が接続され、ゲート電極に走査線３０が接続されている。ＴＦＴ３２のドレイン電極３２には画素電極が接続され、対向基板１１からの印加電圧を受けることができる。また、ＴＦＴ３２のドレイン電極には補助容量３４を介して補助容量線３６が接続されている。
【００２０】
ＯＣＢ型の液晶表示装置１０においては、背景技術で説明したようにベンド配向状態を維持し、スプレイ配向への逆転移を防止するために、各フレーム内に一定比率で黒表示画像に用いられる黒レベル表示電圧をかけている。尚、通常の黒色の画面を表示する場合についても、この黒レベル表示電圧を印加する。
【００２１】
ＯＣＢ型の液晶表示装置１０では、液晶パネル１３を正面から見た場合の電圧−明るさ特性は図４に示すように極小値が存在する。尚、図４における縦軸は白表示の明るさで規格化してある。
【００２２】
液晶パネル１３を斜めから見た電圧−明るさ特性から、図４に示すように、映像表示を液晶駆動電圧Ｖｂｏより小さい電圧範囲で行うと斜め方向（例えば、右方向）から見たときに階調反転が生じる。
【００２３】
そこで、本実施形態は斜め方向から見たときの階調反転を改善する駆動方法として、液晶駆動電圧Ｖｂｏより大きい電圧範囲に着目した。図４から分かるように、この電圧範囲においては正面及び斜め方向から見た場合も明るさは電圧と共に単調に増加している。即ち、階調反転の発生が生じない。
【００２４】
また、黒レベル表示電圧として明るさが最小となる液晶駆動電圧Ｖｂｏを使うことができるので、背景技術で説明したような正面コントラストの低下は起こらない。つまり、正面コントラストを低下させることなく階調反転を改善できる。
【００２５】
ここで、液晶駆動電圧としてＶｂｏよりも高い電圧範囲のみを使うと白表示における液晶の変調率が低い。つまり、白透過率が低く暗い表示となる。また、駆動電圧が高くなる等の問題があるため本実施形態では、黒色から中間色を表示する場合には、Ｖｂｏ〜Ｖ２の電圧範囲で行う。また、中間調から白表示をＶ１〜Ｖ３の電圧の範囲で行うようにした。但し、Ｖ２＞Ｖｂｏ＞Ｖ３＞Ｖ１である。図５の中で示したように、Ｖ２、Ｖ３としてはそれぞれ例えば６．５Ｖ、４．６Ｖとし、Ｖ１として例えば１．２Ｖとした。
【００２６】
図５には、８ビットの入力階調に対する液晶駆動電圧、正面及び斜め方向（右６０°）での明るさを示している。図５に示すように、斜め方向から見たときの階調反転はなく、正面コントラストの約５００：１を維持できることが分かる。
【００２７】
このように、本実施形態によれば、正面コントラストを低下させることなく液晶パネル１３を斜め方向から見たときの階調反転を抑制することができる。
【００２８】
本発明は上記各実施形態に限らず、その主旨を逸脱しない限り種々に変更することができる。
【００２９】
本実施形態は、ＯＣＢ型の液晶表示装置だけでなく、正面から見たときの電圧−明るさ特性に極小値を持つような液晶モードを用いた液晶表示装置にも適用することができる。
【図面の簡単な説明】
【００３０】
【図１】本発明の液晶液晶表示装置の一実施形態を示す模式断面図である。
【図２】図１の液晶表示装置のブロック図である。
【図３】図１の液晶表示装置における等価回路である。
【図４】図１の液晶表示装置における斜め視野と正面での電圧−明るさ特性を示すグラフである。
【図５】図１の液晶表示装置における液晶駆動電圧と明るさと入力階調との関係を示すグラフである。
【図６】ＯＣＢ型の液晶表示装置におけるスプレイ配向からベンド配向への変化を説明する図である。
【図７】従来のＯＣＢ型の液晶表示装置における斜め視野と正面での電圧−明るさ特性を示すグラフである。
【符号の説明】
【００３１】
１０  液晶表示装置
１１  対向基板
１２  アレイ基板
１３  液晶パネル
１４  封止部材
１５  位相差板
１６  偏光板
１７  液晶層
【図１】
2007199127.tif 000003
【図２】
2007199127.tif 000004
【図３】
2007199127.tif 000005
【図４】
2007199127.tif 000006
【図５】
2007199127.tif 000007
【図６】
2007199127.tif 000008
【図７】
2007199127.tif 000009